(57)【要約】【課題】  判読表示機能を具えた変換コネクタの提供。【解決手段】  透明ケース内部に基板が設けられ、該基板の回路が二端に設けられたプラグとソケットに接続され、該基板に発光ダイオード、検出回路或いは変換／検出回路が設けられ、変換コネクタはケーブルでコンピュータとコンピュータ周辺設備を接続するのに用いられ、接続されるケーブルに対して、その回路或いは二端の接続が妥当であるか否か、及び信号伝送情況を検出判断し並びに状態を表示し、後日の修理検査と交換に便利とされる。【選択図】        図４
0003108461.tif 000002
【実用新案登録請求の範囲】
【請求項１】
判読表示機能を具えた変換コネクタにおいて、透明なケースを具え、該ケースの内部に基板が設けられ、該基板の回路が二端に設けられたプラグとソケットに接続され、該基板に発光ダイオードと検出回路が設けられたことを特徴とする、判読表示機能を具えた変換コネクタ。
【請求項２】
請求項１記載の判読表示機能を具えた変換コネクタにおいて、基板に発光ダイオードと変換／検出回路が設けられたことを特徴とする、判読表示機能を具えた変換コネクタ。
【考案の詳細な説明】
【技術分野】
【０００１】
本考案は判読表示機能を具えた変換コネクタに係り、特に、透明ケース内部に基板が設けられ、該基板の回路が二端に設けられたプラグとソケットに接続され、該基板に発光ダイオード、検出回路或いは変換／検出回路が設けられ、変換コネクタはケーブルでコンピュータとコンピュータ周辺設備を接続するのに用いられ、接続されるケーブルに対して、その回路或いは二端の接続が妥当であるか否か、及び信号伝送情況を検出判断し並びに状態を表示し、後日の修理検査と交換に便利とされる、判読表示機能を具えた変換コネクタに関する。
【背景技術】
【０００２】
コンピュータはケーブルによりコンピュータ周辺設備と接続され、図１に示される周知のＵＳＢケーブル１０（或いはプリンタケーブル或いはマウスケーブル）は、プラグ１１とソケット１２を具えるか、或いは一端のみがソケット（或いはプラグ）とされた構造とされる。また、コンピュータ周辺設備の種類は多く且つ異なる設計を有するため、コンピュータが接続用に提供する入出力ポートと、コンピュータ周辺設備に使用されるケーブルプラグが符合しない情況が発生しうる。この情況の解決は相互の変換コネクタを介することで達成される。図２及び図３は周知の変換コネクタ２０、３０を示し、そのうち図２の変換コネクタ２０は、端子ピンを具えたソケット２２とＵＳＢ形態のプラグ２１で構成された変換コネクタ２０であり、端子ピン形態のケーブルプラグに使用され（例えばプリンタ）、図３の変換コネクタ３０は、そのソケット３２がゲーム機操作ジョイスティックのケーブルプラグに使用され、別端のＵＳＢプラグ３１がコンピュータに接続され、ゲーム機のジョイスティックをコンピュータ操作に使用できるようにし、別にコンピュータ専用のジョイスティックを購入する必要を無くす。前述の変換コネクタ２０、３０は非透明体であり、内部に伝送の制御信号、データと相容れる変換回路（図示せず、該変換回路は特定回路であり、二端に接続されるコンピュータとコンピュータ設備により決定され、且つこれらの特定回路は周知の回路であるため説明を省略する）とされ、相互伝送接続の作用と目的を達成するが、以下のような欠点を有している。
一．前述の周知のＵＳＢケーブル１０は、コンピュータとコンピュータ周辺設備の接続と信号伝送を提供するだけで、回路或いは二端の接続が妥当であるか否か、及び信号伝送情況に対しての検出判読並びに状態の表示を行なえず、多くの且つ複雑なケーブル接続環境下で、後日の修理検査及び交換に不利である。
二．周知の変換コネクタ２０、３０内部には変換回路のみ設けられ、検出判読並びに状態の表示の構造がなく、ゆえに変換コネクタ２０、３０が変換接続に適合するか、或いは二端のコンピュータとコンピュータ周辺設備の接続が妥当であるか、或いは回路接続及び信号伝送情況が正常であるかのいずれをも判断できない。
【考案の開示】
【考案が解決しようとする課題】
【０００３】
本考案の主要な目的は、ＵＳＢプラグとソケットを具えた変換コネクタ内部に、検出回路と発光ダイオードを設けて、周知のＵＳＢケーブルを直接挿入使用でき、ケーブルの回路を交換する必要がなく、ケーブルの回路或いは二端の接続が妥当であるか、及び信号伝送情況を検出判読し並びに状態表示し、後日の修理検査及び交換に便利とすることにある。
【０００４】
本考案の次の目的は、コンピュータとコンピュータ周辺設備を接続し、プラグとソケットを具えた変換コネクタの内部に変換／検出回路と発光ダイオードを設けて、接続されるケーブル、その回路或いは二端の接続が妥当であるか、及び、信号伝送情況を検出判読し並びに状態表示し、後日の修理検査及び交換に便利とすることにある。
【０００５】
前述の各目的を達成するため、本考案によると、透明なケースが設けられ、該透明なケース内部に基板が設けられ、該基板の回路が二端に設けられたプラグとソケットに接続され、且つ該基板に発光ダイオード、検出回路或いは変換／検出回路が設けられる。
【課題を解決するための手段】
【０００６】
請求項１の考案は、判読表示機能を具えた変換コネクタにおいて、透明なケースを具え、該ケースの内部に基板が設けられ、該基板の回路が二端に設けられたプラグとソケットに接続され、該基板に発光ダイオードと検出回路が設けられたことを特徴とする、判読表示機能を具えた変換コネクタとしている。
請求項２の考案は、請求項１記載の判読表示機能を具えた変換コネクタにおいて、基板に発光ダイオードと変換／検出回路が設けられたことを特徴とする、判読表示機能を具えた変換コネクタとしている。
【考案の効果】
【０００７】
本考案の判読表示機能を具えた変換コネクタは、透明ケース内部に基板が設けられ、該基板の回路が二端に設けられたプラグとソケットに接続され、該基板に発光ダイオード、検出回路或いは変換／検出回路が設けられ、変換コネクタはケーブルでコンピュータとコンピュータ周辺設備を接続するのに用いられ、接続されるケーブルに対して、その回路或いは二端の接続が妥当であるか否か、及び信号伝送情況を検出判断し並びに状態を表示し、後日の修理検査と交換に便利とされる。
【考案を実施するための最良の形態】
【０００８】
図４、５に示される変換コネクタ４０は、透明なケースを具え、該ケースは上ケース４７、下ケース４８で組成され、該ケース内部に基板４３が設けられ、該基板４３の回路は二端に設けられてコンピュータとコンピュータ周辺設備に接続可能なプラグ４１とソケット４２に接続され、且つ該基板４３に発光ダイオード４４、検出回路或いは変換／検出回路が設けられ、例えば、接続されるケーブルと変換コネクタが同じ構造（同じくＵＳＢ形態とされる）であれば、基板４３には検出回路と発光ダイオードが設けられ、例えば、接続されるケーブルと変換コネクタが異なる構造（すなわち端子ピン形態をＵＳＢ形態に変換）であれば、基板４３には変換／検出回路と発光ダイオード４４が設けられる。更に、該変換回路はコンピュータとコンピュータ周辺設備がデータと制御信号伝送を行うのに適合する特定変換回路とされ、且つ該検出回路、変換回路はいずれも周知の回路であるため説明を省略する。
【０００９】
前述の変換コネクタ４０とケーブル１０が組合され（図６に示されるのはいずれもＵＳＢ形態の場合である）、並びにコンピュータとコンピュータ周辺設備を接続する。該変換コネクタ４０内部の検出回路は、ケーブル１０の回路或いは二端の接続が妥当であるか否かを検出し、正常であれば発光ダイオードが点灯し、信号伝送が正常であれば発光ダイオードが点滅発光表示する。反対に、ケーブル１０の回路が中断されるか或いは二端の接続が不当であると、発光ダイオードは点灯せず、信号伝送が不正常であると、発光ダイオードは点滅表示しない。発光ダイオードの発光と点滅表示の有無により、後日のケーブル１０の修理検査と交換に便利である。
【００１０】
図７、８を参照されたい。ゲーム機ジョイスティックの端子ピン形態のケーブル５０、６０のプラグ５１、６１と変換コネクタ４０のソケット４５、４６の組合せ使用状態が示されている。図７、８のいずれもＵＳＢ形態に変換し、変換コネクタ４０の内部には変換／検出回路及び発光ダイオード（図示せず）が設けられ、相容れるデータと制御信号の伝送のほか、ケーブル５０、６０の回路或いは二端の接続が妥当であるか否かを検出し、正常であれば、発光ダイオードが点灯し、信号伝送が正常であれば発光ダイオードが点滅発光表示する。反対に、ケーブル５０、６０の回路が中断されるか或いは二端の接続が不当であると、発光ダイオードは点灯せず、信号伝送が不正常であると、発光ダイオードは点滅表示しない。発光ダイオードの発光と点滅表示の有無により、後日のケーブル５０、６０の修理検査と交換に便利である。
【００１１】
前述したように、本考案は実用性と利用価値を有し、実用新案登録の要件を具備している。
【図面の簡単な説明】
【００１２】
【図１】周知のＵＳＢケーブルの表示図である。
【図２】本考案の変換コネクタ（一）の表示図である。
【図３】本考案の変換コネクタ（二）の表示図である。
【図４】本考案の構造表示図である。
【図５】本考案の外観表示図である。
【図６】本考案の使用状態表示図である。
【図７】本考案の実施例（二）の使用状態表示図である。
【図８】本考案の実施例（三）の使用状態表示図である。
【符号の説明】
【００１３】
１０  ケーブル          １１  プラグ      １２  ソケット
２０  変換コネクタ      ２１  プラグ      ２２  ソケット
３０  変換コネクタ      ３１  プラグ      ３２  ソケット
４０  変換コネクタ      ４１  プラグ      ４２  ソケット
４３  基板              ４４  発光ダイオード
４５  ソケット          ４６  ソケット
４７  上ケース          ４８  下ケース
５０  ケーブル          ５１  プラグ
６０  ケーブル          ６１  プラグ
【図１】
0003108461.tif 000003
【図２】
0003108461.tif 000004
【図３】
0003108461.tif 000005
【図４】
0003108461.tif 000006
【図５】
0003108461.tif 000007
【図６】
0003108461.tif 000008
【図７】
0003108461.tif 000009
【図８】
0003108461.tif 000010